(57)【要約】【課題】本発明は、建具閉鎖時の衝撃を緩和して衝撃音の発生やはね返りを抑制できると共に、建具を完全に閉じきることができるという効果を有しているにもかかわらず、ほとんどの位置で、通常の動作で建具を開閉できると共に停止させて開放できること。【解決手段】  カバー体１０の後端近傍にシャフト取付体９を固定してシャフト３を固定する。シャフト３にばね取付体８を取り付け閉鎖ばね４を固定する。シャフト３の前端部にピストン２を取り付ける。シリンダー１の前端部に磁石１１を設けた当接体５を被嵌し後端部に閉鎖ばね４を固定する蓋体１４を被嵌する。当接体５がカバー体１０の内面に摺動可能に支持されて、シリンダー１が建具Ｈに対して移動可能になっている。カバー体１０の前端部に保持体６を固定する。保持体６に磁石１１が吸着する吸着板１２を設ける。枠体Ｗに吸着板１３が設けられた当受体７を固定する。【選択図】図４
2005036635.tif 000002
【特許請求の範囲】
【請求項１】
ピストンを設けると共に建具に固定されたシャフトに、該ピストンを収容するシリンダーに当接体を設けたシリンダーユニットを、往復動可能に設けて成る建具用緩衝閉鎖装置であって、シリンダーユニットは、閉鎖ばねで後方に付勢されており、このシリンダーユニットを、閉鎖ばねに抗して前方に移動した状態で、建具に対して動かないように保持することができる保持体を設けて成り、建具が取り付けられる枠体には、建具が閉鎖する前に、保持体に保持されているシリンダーユニットの当接体が当接して保持される当受体を設けて成り、建具が閉鎖方向に移動すると、当接体が当受体に当接して、シリンダーユニットは保持体から離脱して当受体に保持され、ピストンがシリンダー内を相対的に摺動する時に緩衝されると共に、閉鎖ばねの復元力によって建具を閉鎖方向に移動することができるように成し、閉鎖操作された建具を緩衝して、なおかつ閉鎖させることができる建具用緩衝閉鎖装置。
【請求項２】
ピストンを設けると共に枠体に固定されたシャフトに、該ピストンを収容するシリンダーに当接体を設けたシリンダーユニットを、往復動可能に設けて成る建具用緩衝閉鎖装置であって、シリンダーユニットは、閉鎖ばねで前方に付勢されており、このシリンダーユニットを、閉鎖ばねに抗して後方に移動した状態で、枠体に対して動かないように保持することができる保持体を設けて成り、枠体に取り付けられる建具には、建具が閉鎖する前に、保持体に保持されているシリンダーユニットの当接体に当接して保持される当受体を設けて成り、建具が閉鎖方向に移動すると、当受体が当接体に当接して、シリンダーユニットは保持体から離脱して当受体に保持され、ピストンがシリンダー内を相対的に摺動する時に緩衝されると共に、閉鎖ばねの復元力によって建具を閉鎖方向に移動することができるように成し、閉鎖操作された建具を緩衝して、なおかつ閉鎖させることができる建具用緩衝閉鎖装置。
【請求項３】
ピストンを設けると共に建具に固定されたシャフトに、該ピストンを収容するシリンダーに当接体を設けたシリンダーユニットを、往復動可能に設けて成る建具用緩衝閉鎖装置であって、シリンダーユニットは、閉鎖ばねで後方に付勢されており、このシリンダーユニットを、閉鎖ばねに抗して前方に移動した状態で、建具に対して動かないように保持することができる保持体を設けて成り、建具が取り付けられる枠体には、建具が閉鎖する前に、保持体に保持されているシリンダーユニットの当接体が当接して保持される当受体を設けて成り、建具が閉鎖方向に移動すると、当接体が当受体に当接して、シリンダーユニットは保持体から離脱して当受体に保持され、ピストンがシリンダー内を相対的に摺動する時に緩衝されると共に、閉鎖ばねの復元力によって建具を閉鎖方向に移動することができるように成し、閉鎖操作された建具を緩衝して、なおかつ閉鎖させることができる建具用緩衝閉鎖装置。
【請求項４】
ピストンを設けると共に枠体に固定されたシャフトに、該ピストンを収容するシリンダーに当接体を設けたシリンダーユニットを、往復動可能に設けて成る建具用緩衝閉鎖装置であって、シリンダーユニットは、閉鎖ばねで前方に付勢されており、このシリンダーユニットを、閉鎖ばねに抗して後方に移動した状態で、枠体に対して動かないように保持することができる保持体を設けて成り、枠体に取り付けられる建具には、建具が閉鎖する前に、保持体に保持されているシリンダーユニットの当接体に当接して保持される当受体を設けて成り、建具が閉鎖方向に移動すると、当受体が当接体に当接して、シリンダーユニットは保持体から離脱して当受体に保持され、ピストンがシリンダー内を相対的に摺動する時に緩衝されると共に、閉鎖ばねの復元力によって建具を閉鎖方向に移動することができるように成し、閉鎖操作された建具を緩衝して、なおかつ閉鎖させることができる建具用緩衝閉鎖装置。
【発明の詳細な説明】
【技術分野】
【０００１】
本発明は、手動で開け閉めする建具を枠体に取り付けたものに使用するものであって、建具の閉鎖前の特定の区間において、建具の速度を緩和し、またその区間内では閉まる方向に能動的に建具を駆動して閉鎖させることができる建具用緩衝閉鎖装置である。つまり、建具を強く閉めても弱く閉めても、一定の位置まで到達すれば、その後は、強く閉めた場合は減速して、弱く閉めた場合は増速して、同じようにゆっくりと閉鎖されるようにしたものである。
【背景技術】
【０００２】
従来より、実願平４−３９４０９号（実開平６−１６７６号）考案のように、建具全開までのどの位置からも閉鎖位置に向けて付勢する手段を有する建具が、この付勢手段にて閉鎖位置に向かう際に制動力を付与する手段を備えた緩衝装置付き自動閉鎖式建具は提案されている。
【特許文献１】実開平６−１６７６号公報
【発明の開示】
【発明が解決しようとする課題】
【０００３】
上記従来例のような自動閉鎖式建具においては、建具がどこの位置にあっても、閉鎖方向の付勢力によって閉まるという利点がある反面、建具を開けようとした場合、建具はどの位置にあってもその付勢力以上の力を加えないと動かず、開放操作には、常に、全開から全閉する必要な付勢力に抗する大きな力を必要とするという問題がある。また、建具を開放しておきたい時には、建具を停止するための別の装置を装備しないと、開放状態を維持することができないという問題もある。
本発明は、上記の問題点を解決することが課題であり、建具を強く閉めた時にはその衝撃を緩和して衝撃音の発生やはね返りを抑制することができると共に、万一過大な力ではね返った時や閉める力が弱い時も、建具を閉め残しもなく完全に閉じきることができるという効果を有しているにもかかわらず、閉鎖前の位置を除くほとんどの位置で、緩衝や閉鎖するための装置の力や作用にかかわりのない通常の自然な動作で建具を開閉できると共に、建具を停止させて開放しておくようにすることができるようにしたものである。
【課題を解決するための手段】
【０００４】
本発明は、上記の課題を解決するために、請求項１の発明においては、ピストンを設けると共に建具に固定されたシャフトに、該ピストンを収容するシリンダーに当接体を設けたシリンダーユニットを、往復動可能に設けて成る建具用緩衝閉鎖装置であって、シリンダーユニットは、閉鎖ばねで後方に付勢されており、このシリンダーユニットを、閉鎖ばねに抗して前方に移動した状態で、建具に対して動かないように保持することができる保持体を設けて成り、建具が取り付けられる枠体には、建具が閉鎖する前に、保持体に保持されているシリンダーユニットの当接体が当接して保持される当受体を設けて成り、建具が閉鎖方向に移動すると、当接体が当受体に当接して、シリンダーユニットは保持体から離脱して当受体に保持され、ピストンがシリンダー内を相対的に摺動する時に緩衝されると共に、閉鎖ばねの復元力によって建具を閉鎖方向に移動することができるように成し、閉鎖操作された建具を緩衝して、なおかつ閉鎖させることができる建具用緩衝閉鎖装置である。
【０００５】
請求項２の発明においては、ピストンを設けると共に枠体に固定されたシャフトに、該ピストンを収容するシリンダーに当接体を設けたシリンダーユニットを、往復動可能に設けて成る建具用緩衝閉鎖装置であって、シリンダーユニットは、閉鎖ばねで前方に付勢されており、このシリンダーユニットを、閉鎖ばねに抗して後方に移動した状態で、枠体に対して動かないように保持することができる保持体を設けて成り、枠体に取り付けられる建具には、建具が閉鎖する前に、保持体に保持されているシリンダーユニットの当接体に当接して保持される当受体を設けて成り、建具が閉鎖方向に移動すると、当受体が当接体に当接して、シリンダーユニットは保持体から離脱して当受体に保持され、ピストンがシリンダー内を相対的に摺動する時に緩衝されると共に、閉鎖ばねの復元力によって建具を閉鎖方向に移動することができるように成し、閉鎖操作された建具を緩衝して、なおかつ閉鎖させることができる建具用緩衝閉鎖装置である。
【０００６】
請求項３の発明においては、ピストンを設けると共に建具に固定されたシャフトに、該ピストンを収容するシリンダーに当接体を設けたシリンダーユニットを、往復動可能に設けて成る建具用緩衝閉鎖装置であって、シリンダーユニットは、閉鎖ばねで後方に付勢されており、このシリンダーユニットを、閉鎖ばねに抗して前方に移動した状態で、建具に対して動かないように保持することができる保持体を設けて成り、建具が取り付けられる枠体には、建具が閉鎖する前に、保持体に保持されているシリンダーユニットの当接体が当接して保持される当受体を設けて成り、建具が閉鎖方向に移動すると、当接体が当受体に当接して、シリンダーユニットは保持体から離脱して当受体に保持され、ピストンがシリンダー内を相対的に摺動する時に緩衝されると共に、閉鎖ばねの復元力によって建具を閉鎖方向に移動することができるように成し、閉鎖操作された建具を緩衝して、なおかつ閉鎖させることができる建具用緩衝閉鎖装置である。
【０００７】
請求項４の発明においては、ピストンを設けると共に枠体に固定されたシャフトに、該ピストンを収容するシリンダーに当接体を設けたシリンダーユニットを、往復動可能に設けて成る建具用緩衝閉鎖装置であって、シリンダーユニットは、閉鎖ばねで前方に付勢されており、このシリンダーユニットを、閉鎖ばねに抗して後方に移動した状態で、枠体に対して動かないように保持することができる保持体を設けて成り、枠体に取り付けられる建具には、建具が閉鎖する前に、保持体に保持されているシリンダーユニットの当接体に当接して保持される当受体を設けて成り、建具が閉鎖方向に移動すると、当受体が当接体に当接して、シリンダーユニットは保持体から離脱して当受体に保持され、ピストンがシリンダー内を相対的に摺動する時に緩衝されると共に、閉鎖ばねの復元力によって建具を閉鎖方向に移動することができるように成し、閉鎖操作された建具を緩衝して、なおかつ閉鎖させることができる建具用緩衝閉鎖装置である。
【発明の効果】
【０００８】
以上のように本発明によれば、建具を強く閉めた時にはその衝撃を緩和して衝撃音の発生やはね返りを抑制することができると共に、万一過大な力ではね返った時や閉める力が弱い時も、建具を閉め残しもなく完全に閉じきることができるという効果がある。
【０００９】
また、上記の効果を有しているにもかかわらず、閉鎖前の位置を除くほとんどの位置で、緩衝や閉鎖するための装置の力や作用にかかわりのない通常の自然な動作で建具を開閉できると共に、建具を停止させて開放しておくようにすることができるという効果がある。
【実施例１】
【００１０】
請求項１及び請求項３の発明は、主要部を建具装置の建具側に取り付けるタイプであり、請求項２及び請求項４の発明は、主要部を建具装置の枠体側に取り付けるタイプである。なお、特許請求の範囲及び明細書中において、建具の閉鎖する方向を前方、開放する方向を後方とする。
請求項１の発明の実施例を図１〜図８を参照して説明する。
本実施例の建具用緩衝閉鎖装置は、全部品が断面略倒コ字状のカバー体１０の中に収容されて、枠体Ｗに摺動自在に取り付けられた建具Ｈの上端面に取り付けられている。このように部品を建具Ｈに間接的に取り付ける他、もちろんそれぞれ直接取り付けてもよいが、カバー体１０に収容すると取付その他取り扱いが便利になる。
なお、本発明においては建具及び枠体に取り付ける部品は全て、直接取り付けてもよいし、間接的に取り付けてもよいのはもちろんである。
【００１１】
カバー体１０の後端には端部キャップ１６を固定し、さらにカバー体１０の後端から前方に所定距離だけ離れた位置にシャフト取付体９を固定し、そこにシャフト３の後端部を緩衝体１７を介して取り付けてある。
シャフト取付体９は、全体形状略Ｌ字状で下片をカバー体１０に固定されており、下片から直角に立ち上がっている上片の中央には円孔をあけ、そこにゴム等の弾性材製でリング状の緩衝体１７を嵌め、この緩衝体１７の孔に金属製等のリング１９を入れてシャフト３の後端部をビス１８で止めてある。
本実施例においては、シャフト３は、カバー体１０を介して建具Ｈに間接的に固定されているが、前述のように建具Ｈに直接固定してもよい。
【００１２】
なお、カバー体１０の後端から所定距離だけ離れた位置にシャフト取付体９を固定するのは、固定されたシャフト取付体９の後方のカバー体１０を建具Ｈの幅寸法に合わせ調整して切断するためである。しかし、このような構成とすることは、調整できるメリットはあるものの、部品点数が多くなる等デメリットもあり、必ずしも必要ではなく、シャフト取付体９を端部に設けて端部キャップ１６を兼用してもよい。
【００１３】
シャフト３には、シャフト取付体９の前方位置にばね取付体８が、前後位置調整可能に取り付けられ、このばね取付体８に引っ張りばねの閉鎖ばね４の後端部を固定している。なおばね取付体８は、カバー体１０に前後位置調整可能に取り付けてもよい。また、ばね取付体８を前後位置調整可能に取り付けるのは、閉鎖ばね４の強さを調整するためであるが、必ずしも必要なものでもなく、調整機能を付加しない場合、ばね取付体８とシャフト取付体９を兼用して、シャフト取付体９に閉鎖ばね４を固定してもよい。
【００１４】
さらに、ばね取付体８、シャフト取付体９及び端部キャップ１６の３部品を兼用して、１つの部品とすることも可能であり、このようにする建具Ｈの幅寸法に対応する調整機能及び閉鎖ばね４の強さを調整する機能は犠牲になるものの、部品点数が少なくなるメリットがある。
【００１５】
シャフト３の前端部には、ピストン２が取り付けられ、このピストン２がシリンダー１の中に収容される。シリンダー１は、内部にエアが入っており、前端部には当接体５を被嵌し後端部には蓋体１４を被嵌してある。
なお、ピストン２のシャフト３への取付位置及び当接体５のシリンダー１への取付位置については限定しないが、本実施例のように、ピストン２はシャフト３の前端部に取り付け、当接体５はシリンダー１の前端部に取り付けると、装置全体がコンパクトになると共に大きな取付スペースを必要とすることがないという利点がある。このことは後述する請求項２の発明の実施例についても、前後の違い等があるが同様のことが言える。
蓋体１４は、閉鎖ばね４の前端部が固定され、シャフト３が摺動自在に貫通支持されており、当接体５の前面には磁石１１を設けてある。シリンダー１、当接体５、磁石１１及び蓋体１４でシリンダーユニットＵを構成している。
【００１６】
当接体５がカバー体１０の内面に摺動可能に支持されて、シリンダー１が建具Ｈに対して移動可能になっている。従って、シリンダー１内部のピストン２は、建具Ｈに固定されたシャフト３に固定されているので、建具Ｈに対して動かないが、シリンダー１が移動することによって、ピストン２がシリンダー１内部を相対的に往復動する構成となっている。
なお、本実施例においては、シリンダー１は、カバー体１０を介して建具Ｈに間接的に移動可能に取り付けられているが、建具Ｈに凹溝を設ける等して直接取り付けることも可能である。
【００１７】
閉鎖ばね４は、前述のように、前端部を蓋体１４に後端部をばね取付体８に固定され、両者を接近させる方向に力が働く引っ張りばねである。なお、閉鎖ばね４は、シリンダー１の内部に収容して、ピストン２と蓋体１４との間に設ける圧縮ばねでもよい。要するに、この閉鎖ばね４は、シリンダーユニットＵをシャフト３・建具Ｈに対して後方に付勢するものであればよい。
シリンダーユニットＵをシャフト３・建具Ｈに対して後方に付勢するということは、シリンダーユニットＵが後述する当受体７に保持されて枠体Ｗに対して固定された時、建具Ｈを前方すなわち閉鎖方向に付勢するということである。
【００１８】
シリンダー１とピストン２から成る本実施例のダンパー装置は、シリンダー１に空気抜き孔が設けられて、その空気抜き孔の開口面積をビスで調整して緩衝の強さを調整するようになっているが、本実施例に限定されるものではなく、その他の公知のダンパー装置を適用することができる。
【００１９】
カバー体１０の前端部には、保持体６が固定されている。この保持体６には、上面に建具Ｈの走行方向（前後方向）に切り欠いてある切欠部１５が設けられ、後面に当接体５の磁石１１が吸着する吸着板１２を設けてある。そして、保持体６の吸着板１２に当接体５の磁石１１の下部が吸着した時に、磁石１１の上部が、建具Ｈの前端側から見えるように露出している構成となっている。
この保持体６の吸着板１２に当接体５の磁石１１が吸着することによって、閉鎖ばね４に抗して前方に移動したシリンダーユニットＵが保持体６に保持されるものである。この状態は閉鎖ばね４がチャージされている状態である。なお本実施例では、保持体６がカバー体１０の前端部に設けられ、端部キャップを兼用しているが、もちろん保持体６と端部キャップを別に設けてもよい。
【００２０】
枠体Ｗの鴨居溝の上内面には、細長い基板２０の後端部に吸着板１３が設けられた当受体７が固定されている。この吸着板１３は、鴨居溝の下内面に下に突出するように設けられることになり、保持体６の切欠部１５を通過して、保持体６の吸着板１２に吸着している当接体５の磁石１１の上部がこの吸着板１３に当接できるように構成されている。なお、当受体７は、単なる金属製の平板の吸着板を鴨居溝内の戸当り面に設けてもよい。ただしこの場合、シリンダー１が建具Ｈの前端よりも前方に突出するように設ける必要がある。
【００２１】
なお、本実施例とは逆に、磁石１１を吸着板にして、吸着板１２及び１３を磁石にしてもよいことはもちろんであるし、磁石ではなく他の自動キャッチ装置等、保持と離脱が可能な装置であればよい。
また、図８に示すように、シリンダー１後端部の蓋体１４に孔を内外方向に貫通して設け、そこに球状の保持体２１をばね２３で内方に付勢して、外部からねじ２２で押えて設け、シャフト１には所定位置に溝２５を全周に設け、その前方にＣリングのストッパー２４を固定しておく構成としてもよい。そして、シリンダーユニットＵが閉鎖ばね４に抗して前方に移動されると、蓋体１４内面がストッパー２４に当接して、保持体２１が溝２５にばね２３の力で押されて嵌まり、シリンダーユニットＵは保持体２１によって保持されることになる。この場合、シリンダー１前端部の当接体５及び当受体７は前記実施例と同じ構成でよい。
要するに、シリンダーユニットを、閉鎖ばねに抗して前方に移動した状態で、建具に対して動かないように保持することができる保持体を、建具やシリンダーユニット等に設けてあればよい。
【００２２】
本実施例の建具用緩衝閉鎖装置を建具Ｈに取り付けるには、端部キャップ１６を外して、取り付ける建具Ｈの幅寸法に合わせてカバー体１０を切断して調整し、再び端部キャップ１６を固定してから、建具Ｈの上端面にビス止めする。そして、枠体Ｗの鴨居溝の上内面に基板２０の前端部を戸当り面Ｍに接触させた状態にして、当受体７をビス止め固定する。当受体７の基板２０は、吸着板１３がちょうどいい位置に設けられるような長さになっている。
【００２３】
次に建具Ｈの開閉時の説明をする。
当接体５の磁石１１の下部が保持体６の吸着板１２に吸着している状態（建具Ｈが開いている状態）（図６の［Ａ］及び図７の［Ａ］の状態）で、建具Ｈを閉める方向に移動すると、閉まりきる前に、磁石１１の上部が当受体７の吸着板１３に当接して吸着され（図６の［Ｂ］の及び図７の［Ｂ］の状態）、さらに建具Ｈが移動すると、保持体６の吸着板１２は磁石１１から離れて建具Ｈと共に移動するが、シリンダーユニットＵの磁石１１は、当受体７の吸着板１３に吸着したままの状態で止まる。従ってシリンダーユニットＵのシリンダー１も止まるが、ピストン２は建具Ｈと共に前方へ移動し、シリンダー１に対して相対的に前方へ摺動するので、ピストン２によってシリンダー１内のエアが圧縮される（図６の［Ｃ］の及び図７の［Ｃ］の状態）。この時、建具Ｈが強い力で閉められていれば、その衝撃は緩和されることになる。
【００２４】
そして、前述のように、閉鎖ばね４は、シリンダーユニットＵを後方に付勢している、つまり蓋体１４とばね取付体８とを接近させる方向に力が働いており、シリンダーユニットＵの当接体５の磁石１１が枠体Ｗに固定された当受体７の吸着板１３に吸着されているので、シリンダー１後端部の蓋体１４に固定された閉鎖ばね４がばね取付体８を引っ張ることになり、ばね取付体８が間接的に取り付けられた建具Ｈが前方すなわち閉鎖方向に移動して戸当り面Ｍに当接し、完全に閉め切られる（図６の［Ｄ］の及び図７の［Ｄ］の状態）。
例え建具Ｈが戸当り面Ｍに当接した時はね返ったとしても、閉鎖ばね４の力が建具Ｈを閉める方向に働いているので、最終的に建具Ｈは完全に閉め切られることになる。
【００２５】
閉鎖ばね４が建具Ｈを閉める時にも、シリンダー１とピストン２から成るダンパー装置は抵抗として働くが、当然閉鎖ばね４は、建具Ｈを完全に閉め切ることができる力を持つようになっている。なお、本発明を取り付ける建具Ｈが重い場合は動かし難くなるし、軽い場合は勢いよく閉まって大きな衝撃音を発生する等の不都合があるので、前述のように、シャフト３に取り付けるばね取付体８の前後位置を変更することによって、閉鎖ばね４の力を調整できるようになっている。
【００２６】
また、建具Ｈが閉まり切らないほどの弱い力で閉められた場合でも、当接体５の磁石１１の上部が、当受体７の吸着板１３に当接して吸着され、保持体６の吸着板１２から外れる位置まで建具Ｈがくれば、閉鎖ばね４の力で建具Ｈは完全に閉め切られることになる。
【００２７】
閉鎖ばね４の力に抗して建具Ｈを開ける方向に移動すると、シリンダー１は動かずに、建具Ｈに固定されているシャフト３先端部のピストン２が建具Ｈと共に後退する（図６の［Ｃ］の及び図７の［Ｃ］の状態）。ピストン２は後退する時は変形してエアが流通できる構造となっているので、ダンパー装置からの抵抗は大きくない。さらに建具Ｈが移動すると、保持体６の吸着板１２が、当受体７の吸着板１３に吸着している当接体５の磁石１１に当接して吸着し（図６の［Ｂ］の及び図７の［Ｂ］の状態）、さらに建具Ｈが移動すると、磁石１１は、保持体６の吸着板１２に吸着したままの状態で、当受体７の吸着板１３から離れる（図６の［Ａ］及び図７の［Ａ］の状態）。
【００２８】
磁石１１が当受体７の吸着板１３から離れて保持体６の吸着板１２に吸着している状態では、閉鎖ばね４はチャージされて静止している状態であり、建具Ｈを動かすのに閉鎖ばね４の力は働かなくなり、この状態では、建具Ｈはフリーであってどの位置でも停止させることができる。そして、さらに移動させれば建具Ｈは開放され、人が出入りできるようになる。
【００２９】
なお、磁石１１が当受体７の吸着板１３に当接する時の建具Ｈの位置から閉まるまでの距離は、建具Ｈが、閉められる時の衝撃を緩和するに十分な距離が必要であるが、あまり長すぎると建具Ｈが停止できるフリーの区間が短くなってしまうので、建具Ｈが、強く閉められた時に緩衝されるに十分な距離で、停止できるフリーの区間が不自由ない距離が望ましく、およそ５〜２５センチメートルの範囲が妥当である。
【実施例２】
【００３０】
請求項２の発明の実施例を図９〜図１１を参照して説明する。
請求項１の発明の前記実施例においては、全部品が収容されているカバー体１０を建具Ｈ上端面に固定し、当受体７を枠体Ｗの鴨居上内面に固定したものであるのに対し、請求項２の発明の実施例においては、逆に、全部品が収容されているカバー体１０を枠体Ｗの鴨居上内面に固定し、当受体７を建具Ｈ上端面に固定した構成となっている。
【００３１】
請求項１の発明の前記実施例と請求項２の発明の実施例とは、前後方向が逆になっているので、請求項２の発明の実施例においては、シリンダーユニットＵは、閉鎖ばね４で後方ではなく前方に付勢されており、このシリンダーユニットＵを閉鎖ばね４に抗して前方ではなく後方に移動した状態で、建具Ｈではなく枠体Ｗに対して動かないように保持することができる保持体６を設けて成るものである。その他、同じ符号のものは、請求項１の発明の前記実施例と同じものをあらわしている。
また動きについては、建具Ｈを閉める方向に移動すると、請求項１の発明の前記実施例とは逆に、建具Ｈ上端面に固定した当受体７が当接体５に当接する。その後の緩衝及び閉鎖する作用は請求項１の発明の前記実施例と同様である。
【実施例３】
【００３２】
請求項３の発明の実施例を図１２〜図１７を参照して説明する。
本実施例の建具用緩衝閉鎖装置は、全部品が断面略倒コ字状のカバー体３３の中に収容されて、枠体Ｗに摺動自在に取り付けられた建具Ｈの上端面に取り付けられている。このように部品を建具Ｈに間接的に取り付ける他、もちろんそれぞれ直接取り付けてもよいが、カバー体３３に収容すると取付その他取り扱いが便利になる。
【００３３】
カバー体３３の先端及び後端には端部キャップ３８及び端部キャップ３９を固定し、さらに先端の端部キャップ３８の少し内側に保持体３１を固定し、そこにシャフト２８の先端部を取り付けてある。この保持体３１は、後述する当接体３０を保持する機能とシャフトを取り付ける機能（シャフト取付体としての機能）を具備している。
本実施例においては、シャフト２８は、カバー体３３を介して建具Ｈに間接的に固定されているが、前述のように建具Ｈに直接固定してもよい。
【００３４】
シャフト２８の後端部には、ピストン２７が取り付けられ、このピストン２７がシリンダー２６の中に収容される。シリンダー２６は、内部にエアが入っており、前端部には当接体３０を被嵌し後端部には蓋体３７を被嵌してある。
なお、ピストン２７のシャフト２８への取付位置及び当接体３０のシリンダー２６への取付位置については限定しないが、本実施例のように、ピストン２７はシャフト２８の後端部に取り付け、当接体３０はシリンダー２６の前端部に取り付けると、装置全体がコンパクトになると共に大きな取付スペースを必要とすることがないという利点がある。このことは後述する請求項４の発明の実施例についても、前後の違い等があるが同様のことが言える。
そして、シリンダー２６内には、ピストン２７と蓋体３７の間に圧縮ばねの閉鎖ばね２９が収容されている。
当接体３０は、シャフト２８を摺動自在に貫通支持しており、この当接体３０の前面には磁石３４を設けてある。当接体３０から前方に導出されたシャフト２８が前述のように保持体３１に取り付けられている。
シリンダー２６、当接体３０、磁石３４及び蓋体３７でシリンダーユニットＵを構成している。
【００３５】
シリンダー２６両端の当接体３０と蓋体３７がカバー体３３の内面に摺動可能に支持されて、シリンダー２６が建具Ｈに対して移動可能になっている。従って、シリンダー２６内部のピストン２７は、建具Ｈに固定されたシャフト２８に固定されているので、建具Ｈに対して動かないが、シリンダー２６が移動することによって、ピストン２７がシリンダー２６内部を相対的に往復動する構成となっている。
なお、本実施例においては、シリンダー２６は、カバー体３３を介して建具Ｈに間接的に移動可能に取り付けられているが、建具Ｈに凹溝を設ける等して直接取り付けることも可能である。
【００３６】
閉鎖ばね２９は、前述のように、シリンダー２６内のピストン２７と蓋体３７の間に収容されている圧縮ばねであるが、シリンダーユニットＵをシャフト２８・建具Ｈに対して後方に付勢するものであればよい。
シリンダーユニットＵをシャフト２８・建具Ｈに対して後方に付勢するということは、シリンダーユニットＵが後述する当受体３２に保持されて枠体Ｗに対して固定された時、建具Ｈを前方すなわち閉鎖方向に付勢するということである。
【００３７】
カバー体３３の前端部の端部キャップ３８には、上面に建具Ｈの走行方向（前後方向）に切り欠いてある切欠部４０が設けられ、また保持体３１の後面には当接体３０の磁石３４が吸着する吸着板３５を設けてある。そして、保持体３１の吸着板３５に当接体３０の磁石３４の下部が吸着した時に、磁石３４の上部が、建具Ｈの前端側から端部キャップ３８及び保持体３１越しに見えるように露出している構成となっている。
この保持体３１の吸着板３５に当接体３０の磁石３４が吸着することによって、閉鎖ばね２９に抗して前方に移動したシリンダーユニットＵが保持体３１に保持されるものである。この状態は閉鎖ばね２９がチャージされている状態である。なお本実施例では、保持体３１と端部キャップ３８が別に設けられているが、もちろん保持体３１をカバー体３３の前端部に設けて端部キャップを兼用することもできる。
【００３８】
枠体Ｗの鴨居溝の上内面には、細長い基板４１の後端部に吸着板３６が設けられた当受体３２が固定されている。この吸着板３６は、鴨居溝の下内面に下に突出するように設けられることになり、端部キャップ３８の切欠部４０及び保持体３１の上方を通過して、保持体３１の吸着板３５に吸着している当接体３０の磁石３４の上部がこの吸着板３６に当接できるように構成されている。
【００３９】
なお、本実施例とは逆に、磁石３４を吸着板にして、吸着板３５及び３６を磁石にしてもよいことはもちろんであるし、磁石ではなく他の自動キャッチ装置等、保持と離脱が可能な装置であればよい。また、請求項１の発明の図８に示す実施例のような構成としてもよい。
要するに、シリンダーユニットを、閉鎖ばねに抗して前方に移動した状態で、建具に対して動かないように保持することができる保持体を、建具やシリンダーユニット等に設けてあればよい。
【００４０】
本実施例の建具用緩衝閉鎖装置を建具Ｈに取り付けるには、端部キャップ３９を外して、取り付ける建具Ｈの幅寸法に合わせてカバー体３３を切断して調整し、再び端部キャップ３９を固定してから、建具Ｈの上端面にビス止めする。そして、枠体Ｗの鴨居溝の上内面に基板４１の前端部を戸当り面Ｍに接触させた状態にして、当受体３２をビス止め固定する。当受体３２の基板４１は、吸着板３６がちょうどいい位置に設けられるような長さになっている。
【００４１】
次に建具Ｈの開閉時の説明をする。
当接体３０の磁石３４の下部が保持体３１の吸着板３５に吸着している状態（建具Ｈが開いている状態）（図１６の［Ａ］及び図１７の［Ａ］の状態）で、建具Ｈを閉める方向に移動すると、閉まりきる前に、磁石３４の上部が当受体３２の吸着板３６に当接して吸着され（図１６の［Ｂ］の及び図１７の［Ｂ］の状態）、さらに建具Ｈが移動すると、保持体３１の吸着板３５は磁石３４から離れて建具Ｈと共に移動するが、シリンダーユニットＵの磁石３４は、当受体３２の吸着板３６に吸着したままの状態で止まる。従ってシリンダーユニットＵのシリンダー２６も止まるが、ピストン２７は建具Ｈと共に前方へ移動し、シリンダー２６に対して相対的に前方へ摺動するので、ピストン２７によってシリンダー２６内のエアが圧縮される（図１６の［Ｃ］の及び図１７の［Ｃ］の状態）。この時、建具Ｈが強い力で閉められていれば、その衝撃は緩和されることになる。
【００４２】
そして、前述のように、閉鎖ばね２９は、シリンダーユニットＵを後方に付勢している、つまりピストン２７とシリンダーユニットＵ後端部の蓋体３７とを離す方向に力が働いており、シリンダーユニットＵの当接体３０の磁石３４が枠体Ｗに固定された当受体３２の吸着板３６に吸着されているので、閉鎖ばね２９がピストン２７を前方へ押すことになり、ピストン２７が間接的に取り付けられた建具Ｈが前方すなわち閉鎖方向に移動して戸当り面Ｍに当接し、完全に閉め切られる（図１６の［Ｄ］の及び図１７の［Ｄ］の状態）。
例え建具Ｈが戸当り面Ｍに当接した時はね返ったとしても、閉鎖ばね２９の力が建具Ｈを閉める方向に働いているので、最終的に建具Ｈは完全に閉め切られることになる。
【００４３】
閉鎖ばね２９が建具Ｈを閉める時にも、シリンダー２６とピストン２７から成るダンパー装置は抵抗として働くが、当然閉鎖ばね２９は、建具Ｈを完全に閉め切ることができる力を持つようになっている。
【００４４】
また、建具Ｈが閉まり切らないほどの弱い力で閉められた場合でも、当接体３０の磁石３４の上部が、当受体３２の吸着板３６に当接して吸着され、保持体３１の吸着板３５から外れる位置まで建具Ｈがくれば、閉鎖ばね２９の力で建具Ｈは完全に閉め切られることになる。
【００４５】
閉鎖ばね２９の力に抗して建具Ｈを開ける方向に移動すると、シリンダー２６は動かずに、建具Ｈに固定されているシャフト２８先端部のピストン２７が建具Ｈと共に後退する（図１６の［Ｃ］の及び図１７の［Ｃ］の状態）。ピストン２７は後退する時は変形してエアが流通できる構造となっているので、ダンパー装置からの抵抗は大きくない。さらに建具Ｈが移動すると、保持体３１の吸着板３５が、当受体３２の吸着板３６に吸着している当接体３０の磁石３４に当接して吸着し（図１６の［Ｂ］の及び図１７の［Ｂ］の状態）、さらに建具Ｈが移動すると、磁石３４は、保持体３１の吸着板３５に吸着したままの状態で、当受体３２の吸着板３６から離れる（図１６の［Ａ］及び図１７の［Ａ］の状態）。
【００４６】
磁石３４が当受体３２の吸着板３６から離れて保持体３１の吸着板３５に吸着している状態では、閉鎖ばね２９はチャージされて静止している状態であり、建具Ｈを動かすのに閉鎖ばね２９の力は働かなくなり、この状態では、建具Ｈはフリーであってどの位置でも停止させることができる。そして、さらに移動させれば建具Ｈは開放され、人が出入りできるようになる。
【００４７】
なお、磁石３４が当受体３２の吸着板３６に当接する時の建具Ｈの位置から閉まるまでの距離は、建具Ｈが、閉められる時の衝撃を緩和するに十分な距離が必要であるが、あまり長すぎると建具Ｈが停止できるフリーの区間が短くなってしまうので、建具Ｈが、強く閉められた時に緩衝されるに十分な距離で、停止できるフリーの区間が不自由ない距離が望ましく、およそ５〜２５センチメートルの範囲が妥当である。
【実施例４】
【００４８】
請求項４の発明の実施例を図１８〜図１９を参照して説明する。
請求項３の発明の前記実施例においては、全部品が収容されているカバー体３３を建具Ｈ上端面に固定し、当受体３２を枠体Ｗの鴨居上内面に固定したものであるのに対し、請求項４の発明の実施例においては、逆に、全部品が収容されているカバー体３３を枠体Ｗの鴨居上内面に固定し、当受体３２を建具Ｈ上端面に固定した構成となっている。
【００４９】
請求項３の発明の前記実施例と請求項４の発明の実施例とは、前後方向が逆になっているので、請求項４の発明の実施例においては、シリンダーユニットＵは、閉鎖ばね２９で後方ではなく前方に付勢されており、このシリンダーユニットＵを閉鎖ばね２９に抗して前方ではなく後方に移動した状態で、建具Ｈではなく枠体Ｗに対して動かないように保持することができる保持体３１を設けて成るものである。その他、同じ符号のものは、請求項３の発明の前記実施例と同じものをあらわしている。
また動きについては、建具Ｈを閉める方向に移動すると、請求項３の発明の前記実施例とは逆に、建具Ｈ上端面に固定した当受体３２が当接体３０に当接する。その後の緩衝及び閉鎖する作用は請求項３の発明の前記実施例と同様である。
【図面の簡単な説明】
【００５０】
【図１】請求項１の発明を建具及び枠体に取り付けた状態の全体正面図である。
【図２】請求項１の発明の要部の斜視図である。
【図３】図２のＸ−Ｘ線拡大端面図である。
【図４】請求項１の発明で、カバー体及びシリンダーの一部を切り欠いた状態の要部拡大斜視図である（当接体を保持体から離した状態）。
【図５】請求項１の発明の一部を省略した要部拡大縦断面図である（当接体を保持体から離した状態）。
【図６】請求項１の発明のカバー体を切り欠いた状態の正面図であり、動きを説明するために、［Ａ］〜［Ｄ］の段階に分けている。
【図７】請求項１の発明の要部の拡大断面図であり、動きを説明するために、図６と同様に［Ａ］〜［Ｄ］の段階に分けている。
【図８】請求項１の発明の他の実施例を示す要部拡大断面図である。
【図９】請求項２の発明を建具及び枠体に取り付けた状態の全体正面図である。
【図１０】図９のＹ部の拡大図である。
【図１１】図９のＺ部の拡大図である。
【図１２】請求項３の発明を建具及び枠体に取り付けた状態の全体正面図である。
【図１３】請求項３の発明の要部の斜視図である。
【図１４】請求項３の発明で、カバー体及びシリンダーの一部を切り欠いた状態の要部拡大斜視図である（当接体を保持体から離した状態）。
【図１５】請求項３の発明の一部を省略した要部拡大縦断面図である（当接体を保持体から離した状態）。
【図１６】請求項３の発明のカバー体を切り欠いた状態の正面図であり、動きを説明するために、［Ａ］〜［Ｄ］の段階に分けている。
【図１７】請求項３の発明の要部の拡大断面図であり、動きを説明するために、図１６と同様に［Ａ］〜［Ｄ］の段階に分けている。
【図１８】請求項４の発明を建具及び枠体に取り付けた状態の全体正面図である。
【図１９】請求項４の発明の一部を省略した要部拡大縦断面図である。
【符号の説明】
【００５１】
Ｈ    建具
Ｗ    枠体
Ｕ    シリンダーユニット
１    シリンダー
２    ピストン
３    シャフト
４    閉鎖ばね
５    当接体
６    保持体
７    当受体
２１    保持体
２６    シリンダー
２７    ピストン
２８    シャフト
２９    閉鎖ばね
３０    当接体
３１    保持体
３２    当受体
【図１】
2005036635.tif 000003
【図２】
2005036635.tif 000004
【図３】
2005036635.tif 000005
【図４】
2005036635.tif 000006
【図５】
2005036635.tif 000007
【図６】
2005036635.tif 000008
【図７】
2005036635.tif 000009
【図８】
2005036635.tif 000010
【図９】
2005036635.tif 000011
【図１０】
2005036635.tif 000012
【図１１】
2005036635.tif 000013
【図１２】
2005036635.tif 000014
【図１３】
2005036635.tif 000015
【図１４】
2005036635.tif 000016
【図１５】
2005036635.tif 000017
【図１６】
2005036635.tif 000018
【図１７】
2005036635.tif 000019
【図１８】
2005036635.tif 000020
【図１９】
2005036635.tif 000021
【手続補正書】
【提出日】平成16年3月19日(2004.3.19)
【手続補正１】
【補正対象書類名】明細書
【補正対象項目名】００２６
【補正方法】変更
【補正の内容】
【００２６】
また、建具Ｈが閉まり切らないほどの弱い力で閉められた場合でも、当接体５の磁石１１の上部が、当受体７の吸着板１３に当接して吸着され、保持体６の吸着板１２が磁石１１から外れる位置まで建具Ｈがくれば、閉鎖ばね４の力で建具Ｈは完全に閉め切られることになる。
【手続補正２】
【補正対象書類名】明細書
【補正対象項目名】００４４
【補正方法】変更
【補正の内容】
【００４４】
また、建具Ｈが閉まり切らないほどの弱い力で閉められた場合でも、当接体３０の磁石３４の上部が、当受体３２の吸着板３６に当接して吸着され、保持体３１の吸着板３５が磁石３４から外れる位置まで建具Ｈがくれば、閉鎖ばね２９の力で建具Ｈは完全に閉め切られることになる。